(57)【要約】  エレベータ耐荷重部材（３０）アセンブリに用いる電気コネクタ装置（４０）は、少なくとも１つの引張り部材（３２）と導電性接触を行う少なくとも１つの電気コネクタ部材（４２）を備える。クランプ部材（４５）により、電気コネクタ部材（４２）が支持されるとともに、引張り部材（３２）を覆っている被覆（３４）を貫通させるように該コネクタ部材（４２）を動かすことが容易になる。一実施例においては、クランプ部材（４５）は、第１の部分（４６）及び第２の部分（４８）を有し、耐荷重部材（３０）の両方の側面が、これらの部分（４６）、（４８）を受けている。アジャスタ（５０）は、電気コネクタ部材（４２）が被覆（３４）を貫通して引張り部材（３２）と導電性接触を行うように、クランプ部材（４５）の両部分（４６）、（４８）の相対位置の調整を容易にする。
2007529392.tif 000002
【特許請求の範囲】
【請求項１】
エレベータ装置に用いられる耐荷重部材内の少なくとも１つの引張り部材と電気的接触を行う装置であって、
上記耐荷重部材の少なくとも一方の側が受けるクランプ部材と、
上記クランプ部材によって支持され、上記引張り部材を覆っている被覆を貫通して上記引張り部材と導電性接触を行う位置に達するように構成された少なくとも１つの電気コネクタ部材と、
上記クランプ部材によって支持され、上記コネクタ部材から収集された情報を処理することが可能な回路と、を備えることを特徴とする装置。
【請求項２】
上記クランプ部材は、上記耐荷重部材の両側が受ける第１の部分及び第２の部分を有し、少なくとも一方の該部分の移動が、上記コネクタ部材を上記引張り部材と接触させるように作用することを特徴とする請求項１に記載の装置。
【請求項３】
上記クランプ部材の一方の部分を、該クランプ部材の他方の部分に向かって動かすアジャスタを備えることを特徴とする請求項２に記載の装置。
【請求項４】
上記アジャスタは、ねじであるとともに、上記クランプ部材の第１の部分と第２の部分との間の相対運動を行うように、上記クランプ部材に対して回転可能であることを特徴とする請求項３に記載の装置。
【請求項５】
上記クランプ部材の第１の部分及び第２の部分の少なくとも一方は、ねじである上記アジャスタと協働するねじ受容部を有することを特徴とする請求項４に記載の装置。
【請求項６】
上記クランプ部材によって支持されたハウジングと、
上記コネクタ部材と結合する上記ハウジング内の少なくとも１つの電子機器と、を備えることを特徴とする請求項１に記載の装置。
【請求項７】
上記ハウジング内にプリント回路基板を備え、この基板は、該基板に支持された回路ならびに上記電子機器を有することを特徴とする請求項６に記載の装置。
【請求項８】
上記電気コネクタ部材は、導電性接触を行うために、上記引張り部材を覆っている被覆を少なくとも部分的に貫通するように構成される係合面を有することを特徴とする請求項１に記載の装置。
【請求項９】
対応する複数の引張り部材と接触するように構成された複数の電気コネクタを備えることを特徴とする請求項１に記載の装置。
【請求項１０】
複数の上記電気コネクタは、複数の上記引張り部材より多く、２つ以上の上記電気コネクタが、各々の上記引張り部材と接触するように構成されることを特徴とする請求項９に記載の装置。
【請求項１１】
少なくとも１つの短絡導電体を備え、この導電体は、少なくとも１つの引張り部材を少なくとも他の１つの引張り部材と電気的に接続させ、対応する引張り部材に沿って連続する導電性通路を形成することを特徴とする請求項１に記載の装置。
【請求項１２】
上記コネクタ部材は、全ての上記引張り部材に沿って連続する導電性通路を形成するように結合されることを特徴とする請求項１１に記載の装置。
【請求項１３】
上記短絡導電体は、上記耐荷重部材の上記電気コネクタ部材と反対側の端部に隣接して支持されることを特徴とする請求項１１に記載の装置。
【請求項１４】
エレベータ装置に用いられる耐荷重部材内の少なくとも１つの引張り部材と導電性接触を行う方法であって、
クランプ部材によって支持された少なくとも１つの電気コネクタ部材を有し、かつ上記クランプ部材が上記電気コネクタ部材から収集された情報を処理する回路も支持しているコネクタを設け、
上記引張り部材を覆っている被覆に隣接して少なくとも１つの上記導電性コネクタ部材を配置し、
上記コネクタ部材と上記引張り部材との間で導電性接触を行うのに十分なように、上記コネクタ部材を少なくとも部分的に上記被覆に強制的に貫通させることを特徴とする方法。
【請求項１５】
上記耐荷重部材は、複数の引張り部材を有するとともに、該方法は、少なくとも１つのコネクタ部材を上記引張り部材の各々と強制的に導電性接触させることを特徴とする請求項１４に記載の方法。
【請求項１６】
上記コネクタ部材の少なくとも終端部を、少なくとも部分的に上記引張り部材に強制的に接触させることを特徴とする請求項１５に記載の方法。
【請求項１７】
上記耐荷重部材に隣接して上記クランプ部材を配置し、上記クランプ部材及び上記コネクタ部材を上記耐荷重部材の中心に向けて強制的に動かすことを特徴とする請求項１４に記載の方法。
【請求項１８】
上記耐荷重部材の各側面に上記クランプ部材の部分を配置し、該クランプ部材の両部分を互いに強制的に押し付けることを特徴とする請求項１７に記載の方法。
【請求項１９】
少なくとも１つの引張り部材を少なくとも他の１つの引張り部材に短絡させることを特徴とする請求項１４に記載の方法。
【請求項２０】
エレベータ耐荷重アセンブリであって、
複数の導電性の引張り部材と、
上記引張り部材を覆っている非導電性の被覆と、
少なくとも１つの上記引張り部材と導電性接触を行うように、上記引張り部材を覆っている上記被覆を少なくとも部分的に貫通して延びている少なくとも１つの電気コネクタ部材と、
上記コネクタ部材が上記引張り部材との導電性接触を維持するように上記電気コネクタ部材を支持し、かつ上記被覆の少なくとも一方の側が受けるクランプ部材と、
上記クランプ部材によって支持され、上記コネクタ部材から収集された情報を処理する回路と、を備えることを特徴とするアセンブリ。
【請求項２１】
上記クランプ部材は、上記被覆の第１の側面が受ける第１の部分と、上記被覆の第２の側面が受ける第２の部分と、を有し、上記引張り部材に対する上記コネクタ部材の位置を調整するように、該クランプ部材の第１の部分と第２の部分との間の相対位置を調整するアジャスタを含むことを特徴とする請求項２０に記載のアセンブリ。
【請求項２２】
複数のコネクタ部材を備え、少なくとも一つの該コネクタ部材は、上記引張り部材の各々と導電性接触を行うことを特徴とする請求項２０に記載のアセンブリ。
【請求項２３】
少なくとも２つの上記引張り部材を電気的に結合する少なくとも１つの短絡導電体を備えることを特徴とする請求項２０に記載のアセンブリ。
【発明の詳細な説明】
【技術分野】
【０００１】
本発明は、一般的にエレベータ耐荷重部材における少なくとも１つの引張り部材と導電性接続を行う電気コネクタに関する。
【背景技術】
【０００２】
通常、エレベータ装置は、かご及びカウンタウェイトの重量を支持し、かつこのかごを昇降路内で要求どおりに動かすロープやベルトなどの耐荷重部材を備える。長年にわたり、鋼製のロープが用いられてきた。最近では、複数の引張り部材をジャケットに内包した被覆スチールベルトが導入されている。一実施例においては、引張り部材は、鋼製のコードであり、またジャケットは、ポリウレタン材料からなる。
【発明の開示】
【発明が解決しようとする課題】
【０００３】
新しいベルト構成は、エレベータ装置の寿命にわたって耐荷重部材の耐荷重能力を監視するという新しい課題を提供している。
【０００４】
現代のエレベータ耐荷重部材を監視する種々の方法が編み出されてきた。本発明は、電気式の監視技術を用いることができるように、少なくとも１つの引張り部材との導電性接続を簡単かつ正確に行う能力を提供する。
【課題を解決するための手段】
【０００５】
広く言えば、本発明は、エレベータ耐荷重部材における少なくとも１つの引張り部材と電気接続を行う装置である。
【０００６】
一実施例の装置は、引張り部材を覆っている被覆を貫通するように構成される少なくとも１つの電気コネクタ部材を備える。被覆の少なくとも一方の側が、クランプ部材を受けており、また該クランプ部材により、電気コネクタ部材が支持される。コネクタ部材によって収集された情報を処理し、かつ少なくとも２つの引張り部材を電気的に結合する少なくとも１つの短絡導電体を備える回路が、クランプ部材によって支持される。
【０００７】
一実施例においては、クランプ部材は、第１の部分及び第２の部分を有し、耐荷重部材の両方の側面が、これらの部分を受けている。アジャスタは、コネクタ部材が引張り部材と接触するように、該クランプ部材の第１の部分及び第２の部分を互いに引き寄せる。
【０００８】
実施例のエレベータ耐荷重アセンブリは、非導電性のジャケットに覆われた複数の引張り部材を備える。少なくとも１つの電気コネクタ部材が、少なくとも１つの引張り部材と導電性接触を行うように、少なくとも部分的にジャケットを貫通して延びている。ジャケットの外側で受けているクランプ部材によって、電気コネクタが支持される。また、クランプ部材によって、電気コネクタ部材から収集された情報を処理する回路が支持される。
【０００９】
本発明における種々の特徴ならびに長所は、後述する実施例の詳細な説明から当業者に明らかになるであろう。
【発明を実施するための最良の形態】
【００１０】
図１は、エレベータ装置２０の選択した一部分を概略的に示している。かご２２は、カウンタウェイト２４とともに昇降路２６内を従来の方法で移動する。耐荷重部材３０が、かご２２及びカウンタウェイト２４の重量を支持し、また昇降路２６内のかご２２及びカウンタウェイト２４の所望の動作をもたらすように、巻上装置（図示せず）の少なくとも１つの駆動シーブと相互作用する。
【００１１】
図２は、被覆スチールベルトである一実施例の耐荷重部材３０の一部分を概略的に示している。図２の実施例は、説明のために示しており、また本発明は、ベルトや耐荷重部材の特定の形状に必ずしも限定されない。この実施例では、複数の引張り部材３２が、ベルト３０内で長手方向（即ち、図２に示される方向Ｌ）に延びている。一実施例においては、引張り部材３２の各々は、従来の方法で巻かれてコードとなった鋼製のストランドからなる。
【００１２】
引張り部材３２は、一実施例においてはポリウレタン材料からなるジャケット３４で覆われている。
【００１３】
図２に概略的に示されているように、ベルト３０は、該ベルト３０と結合した電気コネクタ装置４０を有する。図３、図４から最もよくわかるように、電気コネクタ装置４０は、複数の電気コネクタ部材４２を有する。電気コネクタ部材４２の一方の端部４４は、該コネクタ部材４２が引張り部材３２と電気接触を行うように、ベルト３０のジャケット３４を貫通することができるように構成される。一実施例においては、コネクタ部材４２は鋼鉄からなる。
【００１４】
図示された実施例は、第１の部分４６及び第２の部分４８を有するクランプ部材４５を備える。ベルト３０の両方の側面が、該クランプ部材４５の第１の部分４６及び第２の部分４８を受けている。アジャスタ５０は、コネクタ部材４２の端部４４が、ジャケット材料３４を貫通して引張り部材３２と導電性接触を行うために、第２の部分４８に対し第１の部分４６を動かすことを容易にする。図示された実施例においては、アジャスタ５０は、クランプ部材４５の第２の部分４８におけるねじ受容部５４内に受容される少なくとも部分的にねじ付きの外面５２を備える。アジャスタ５０を回転させることによって、クランプ部材４５の第１の部分４６及び第２の部分４８が互いに引き寄せられ、これによりコネクタ部材４２が、ジャケット材料３４を貫通して引張り部材３２と電気接触を行う。一実施例においては、アジャスタ５０及び受容部５４が、コネクタ部材４２と引張り部材３２との間の十分な接続の可視確認をもたらすように、（例えば、ねじを調節することによって）構成される。
【００１５】
別の実施例では、クランプ部材４５が異なる方法で互いに引き寄せられ、また別の装置が、コネクタ装置４０を所定の位置に保持するために用いられる。
【００１６】
図３から理解できるように、コネクタ装置４０は、ベルト３０内の引張り部材３２の各々に対応する少なくとも１つのコネクタ部材４２を備える。図４から理解できるように、各引張り部材３２は、好ましくは２つ以上の電気コネクタ部材４２に接触し、これにより特定の引張り部材３２に対応する該コネクタ部材４２の１つが、破損ないし故障した場合に、十分な接触を確立即ち維持する冗長性がもたらされる。
【００１７】
一実施例においては、クランプ部材４５の第１の部分４６及び第２の部分４８は、非導電性のプラスチック材料から製造される。図示された実施例においては、該クランプ部材４５の第１の部分４６によって、コネクタ部材４２及びプリント回路基板６０が支持される。少なくとも１つのコネクタ部材４２から情報を収集して処理するために、少なくとも回路及び例えばマイクロプロセッサチップなどの１つの電子部品６２が、実施例のプリント回路基板６０によって支持される。具体的に図示されていないが、該プリント回路基板６０の回路図形により、コネクタ部材４２とベルト状態監視装置の他の電子機器との間の相互接続を容易にすることができる。
【００１８】
図示された実施例では、プリント回路基板６０及びこれに支持された電子機器６２が、クランプ部材４５の第１の部分４６に固定されたハウジング６４内に収容される。一実施例においては、該クランプ部材４５の第１の部分４６に備えられる回路によって、引張り部材３２ないし耐荷重部材３０全体の状態を示す出力を供給することが可能になる。
【００１９】
図４から理解できるように、プリント回路基板６０により、引張り部材３２の適切な監視を行うように、コネクタ部材４２に電力や制御信号を伝達する少なくとも１つのリード６８を有する結合装置６６を固定することが容易になる。別の実施例では、電池駆動ならびに無線信号伝達が用いられ、別の装置と手配線による接続を行うためのリードを具備しない。
【００２０】
図５は、図３の断面図に類似した別の実施例を示している。この実施例では、選択したコネクタ部材４２が、プリント回路基板６０に支持された回路図形７０によって相互接続される。回路図形７０により、一方のコネクタが他方のコネクタに実質的に短絡し、またこの回路図形７０は、ベルト３０内の引張り部材３２のいくつかもしくは全てに沿って延びている連続する導電性通路を形成し得る。例えば、最も左側の引張り部材３２が、連続する該回路通路の一方の端部となり、最も右側の引張り部材３２が、該回路通路の反対側の端部となり、全ての中間の引張り部材３２が、回路通路に沿った分岐部となる。一実施例は、図３に示されるようにベルト３０の一方の端部に隣接する第１のコネクタ装置と、図５に示されるように該ベルト３０の反対側の端部に隣接する個々のコネクタ装置と、を有する。このような配列により、ベルト３０に沿って引張り部材３２を直列に結合することが得られる。
【００２１】
特定の監視方法ならびにこれに対応する構成要素の選択によって、当業者は、所望の動作を確立するようにコネクタ部材４２による適切な接続を設計することができる。図示されたコネクタにおいては、一実施例の監視技術は、電気抵抗に基づいている。一実施例の監視技術は、国際公開番号第００／５３７６号明細書に開示されている。この資料の教示は、発明の詳細を説明するために参考として示している。この説明を読めば、当業者は、適切な材料から本発明に従って設計された電気コネクタ装置の種々の構成要素を形成する材料を選択することができよう。
【００２２】
回路、電子機器及び、ハウジングをクランプ装置に一体化することによって、本発明は、エレベータベルト３０内の引張り部材３２と電気接続を行うより経済的で信頼性の高い方法を提供する。本発明の構成要素におけるユニークな配列により、導電性接続を行うコネクタ装置の簡単かつ信頼性の高い取り付けが可能になる。
【００２３】
上記の説明は、限定的ではなく例示的な性質のものである。当業者には、開示された実施例に対して本発明の趣旨から逸脱することなく加え得る種々の変更及び改良が明らかとなろう。本発明に与えられる法的保護の範囲は、請求範囲を検討することによって定められる。
【図面の簡単な説明】
【００２４】
【図１】エレベータ装置の選択した一部分を示す概略図。
【図２】本発明に従って設計された実施例のコネクタ装置が固定されるエレベータベルトの概略図。
【図３】図２の線３−３に沿った断面図。
【図４】図２の線４−４に沿った断面図。
【図５】図３に類似した本発明の実施例に従って設計された別の実施例のコネクタの断面図。
【図１】
2007529392.tif 000003
【図２】
2007529392.tif 000004
【図３】
2007529392.tif 000005
【図４】
2007529392.tif 000006
【図５】
2007529392.tif 000007
【国際調査報告】
2007529392.tif 000008